(57)【要約】【課題】施錠装置の部品点数を少なくし、ゲーム機の前面枠（前扉）の軽量化を図ると共に、前面枠（前扉）の開閉の操作性を向上させることができるゲーム機の施錠装置を提供する。【解決手段】本体枠１の縦枠１１の内側の上部と下部に鉤部材２，３が正面側を向いて傾動可能に枢支される。上下の鉤部材２，３が連結杆４により連結されると共に、連結杆４の一部に係合部４ａが設けられる。シリンダ錠５が錠軸を縦枠の内側に挿入し且つ鍵穴面を縦枠の正面側に突出して縦枠１１に取り付けられる。シリンダ錠５の錠軸の先端にカム板６が回動時に係合部４ａと係合可能に取り付けられ。鉤部材２，３が係止される受け金具２０，２１が前面枠の内側の対応位置に取り付けられる。前面枠には前面枠の閉鎖時にシリンダ錠５が進入する開口凹部３２が開口して設けられる。【選択図】図１
2006230696.tif 000002
【特許請求の範囲】
【請求項１】
ゲーム機の本体枠に開閉可能に装着された前面枠を該本体枠に対し施錠するゲーム機の施錠装置において、
該本体枠が金属製の上辺枠、下辺枠、及び該上辺枠と下辺枠を縦にそれらの両端部で連結する両側の金属製の縦枠とから構成され、該本体枠の縦枠の内側の上部と下部に鉤部材が正面側を向いて傾動可能に枢支され、該上下の鉤部材が連結杆により連結されると共に、該連結杆の一部に係合部が設けられ、シリンダ錠が錠軸を該縦枠の内側に挿入し且つ鍵穴面を該縦枠の正面側に突出して該縦枠に取り付けられ、該シリンダ錠の錠軸の先端にカム板が回動時に該係合部と係合可能に取り付けられ、該鉤部材が係止される受け金具が該前面枠の内側の対応位置に取り付けられ、該前面枠の閉鎖時に該シリンダ錠が進入する凹部が該前面枠に設けられたことを特徴とするゲーム機の施錠装置。
【請求項２】
前記シリンダ錠を覆うシリンダ錠カバーが取り付けられ、該シリンダ錠カバーの先端形状は、前記前面枠を閉じた際、該前面枠の前面形状と連続するように形成されていることを特徴とする請求項１記載のゲーム機の施錠装置。
【請求項３】
前記縦枠の内側に、前記連結杆に沿ってガラス枠作動杆が摺動可能に取り付けられ、該ガラス枠作動杆にはガラス枠施錠具と係合可能な第１係合部と、前記カム板を前記前面枠の解錠時と反対に回動させたときに係合する第２係合部が設けられたことを特徴とする請求項１記載のゲーム機の施錠装置。
【請求項４】
ゲーム機の本体枠に開閉可能に装着された前面枠を該本体枠に対し施錠するゲーム機の施錠装置において、
該本体枠が金属製の上辺枠、下辺枠、及び該上辺枠と下辺枠を縦にそれらの両端部で連結する両側の金属製の縦枠とから構成され、該本体枠の縦枠の内側の上部と下部に鉤部材が正面側を向いて傾動可能に枢支され、該上下の鉤部材が連結杆により連結されると共に、該連結杆の一部に係合部が設けられ、シリンダ錠が前記前面枠に取り付けられるシリンダ錠ユニットの基枠体に取り付けられ、該シリンダ錠の錠軸の先端にカム部材が前記連結杆の係合部と係合可能に取り付けられ、該鉤部材が係止される受け金具が該シリンダ錠ユニットの上部と下部の対応位置に設けられ、該前面枠の閉鎖時に該カム部材が該連結杆の係合部に係合可能な状態となることを特徴とするゲーム機の施錠装置。
【請求項５】
ゲーム機の筐体に開閉可能に装着された前扉を該筐体に対し施錠するゲーム機の施錠装置において、
該筐体の前面開口部の一縦辺部の内側に縦枠部が形成され、該筐体の縦枠部の内側の上部と下部に鉤部材が正面側を向いて傾動可能に枢支され、該上下の鉤部材が連結杆により連結されると共に、該連結杆の一部に係合部が設けられ、シリンダ錠が錠軸を該縦枠部の内側に挿入し且つ鍵穴面を該縦枠部の正面側に突出して該縦枠部に取り付けられ、該シリンダ錠の錠軸の先端にカム板が回動時に該係合部と係合可能に取り付けられ、該鉤部材が係止される受け金具が該前扉の内側の対応位置に取り付けられ、該前扉の閉鎖時に該シリンダ錠が進入する凹部が該前扉に設けられたことを特徴とするゲーム機の施錠装置。
【請求項６】
前記シリンダ錠を覆うシリンダ錠カバーが取り付けられ、該シリンダ錠カバーの先端形状は、前記前扉を閉じた際、該前扉の前面形状と連続するように形成されているたことを特徴とする請求項５記載のゲーム機の施錠装置。
【請求項７】
ゲーム機の筐体に開閉可能に装着された前扉を該筐体に対し施錠するゲーム機の施錠装置において、
該筐体の前面開口部の一縦辺部の内側に縦枠部が形成され、該筐体の縦枠部の内側の上部と下部に鉤部材が正面側を向いて傾動可能に枢支され、該上下の鉤部材が連結杆により連結されると共に、該連結杆の一部に係合部が設けられ、シリンダ錠が前記前扉に取り付けられるシリンダ錠ユニットの基枠体に取り付けられ、該シリンダ錠の錠軸の先端にカム部材が回動時に該係合部と係合可能に取り付けられ、該鉤部材が係止される受け金具が該シリンダ錠ユニットの上部と下部の対応位置に設けられ、該前扉の閉鎖時に該カム部材が該連結杆の係合部に係合可能な状態となることを特徴とするゲーム機の施錠装置。
【発明の詳細な説明】
【技術分野】
【０００１】
本発明は、パチンコ機、スロットマインなどの本体枠または筐体に対し開閉可能に装着された前面枠（前扉）を施錠する施錠装置に関し、特に、金属製の本体枠（筐体）を有したゲーム機の施錠装置として好適に使用可能なゲーム機の施錠装置に関する。
【背景技術】
【０００２】
従来、例えば、パチンコ機の前面枠を本体枠に対し施錠する装置として、取付板と支持板を断面Ｌ形に成形した縦長の基枠体の内側に、連結杆が摺動可能に配設され、支持板の上部と下部に鉤部材が傾動可能に枢支され、連結杆の上下端部が鉤部材に連結され、取付板の中間部にシリンダ錠がその錠軸を取付板に設けた孔から内側に差し込むように取付けられ、錠軸の先端に連結杆と係合するカム板が固定されてなる施錠装置が、広くに使用されている（例えば下記特許文献１を参照）。
【特許文献１】実公昭５７−８８６７号公報
【発明の開示】
【発明が解決しようとする課題】
【０００３】
この種の施錠装置は、前面枠の内側に鉤部材を本体枠側に突出した状態で、取付板を介して基枠体を縦に取り付け、鉤部材が係止可能な受け金具を本体枠の対応位置に取り付け、取付板に固定したシリンダ錠の正面を前面枠の正面に現して装着される。周知のように、パチンコ機の前面枠（中枠）には、装飾用照明器具、遊技盤、賞球払出装置、球発射装置、表示装置、制御盤など各種の電気部品、装飾部品などが数多く装着されているため、施錠装置を取り付けるためのスペースが非常に狭く制限される。さらに、各種の電気部品等を取り付けた前面枠の重量は、非常に重くなり、開閉の操作性を考慮して、前面枠の重量をできるだけ軽くするように、前面枠の軽量化が要望されている。
【０００４】
本発明は、上記の点に鑑みなされたもので、施錠装置の部品点数を少なくし、ゲーム機の前面枠（前扉）の軽量化を図ると共に、前面枠（前扉）の開閉の操作性を向上させることができるゲーム機の施錠装置を提供することを目的とする。
【課題を解決するための手段】
【０００５】
このために、本発明の請求項１の施錠装置は、ゲーム機の本体枠に開閉可能に装着された前面枠を該本体枠に対し施錠するゲーム機の施錠装置において、該本体枠が金属製の上辺枠、下辺枠、及び該上辺枠と下辺枠を縦にそれらの両端部で連結する両側の金属製の縦枠とから構成され、該本体枠の縦枠の内側の上部と下部に鉤部材が正面側を向いて傾動可能に枢支され、該上下の鉤部材が連結杆により連結されると共に、該連結杆の一部に係合部が設けられ、シリンダ錠が錠軸を該縦枠の内側に挿入し且つ鍵穴面を該縦枠の正面側に突出して該縦枠に取り付けられ、該シリンダ錠の錠軸の先端にカム板が回動時に該係合部と係合可能に取り付けられ、該鉤部材が係止される受け金具が該前面枠の内側の対応位置に取り付けられ、該前面枠には該前面枠の閉鎖時に該シリンダ錠が進入する開口凹部が開口して設けられていることを特徴とする。
【０００６】
ここで、請求項２のように、上記シリンダ錠を覆うシリンダ錠カバーを上記本体枠の縦枠に取り付け、シリンダ錠カバーの先端形状を、前面枠を閉じた際、前面枠の前面形状と連続するように形成することができる。
【０００７】
また、請求項３のように、上記縦枠の内側に、連結杆に沿ってガラス枠作動杆を摺動可能に取り付け、ガラス枠作動杆にはガラス枠施錠具と係合可能な第１係合部を設けると共に、上記カム板を上記前面枠の解錠時と反対に回動させたとき係合する第２係合部を設けることができる。
【発明の効果】
【０００８】
上記請求項１の施錠装置は、本体枠の縦枠に鉤部材、連結杆、シリンダ錠などが取り付けられ、ゲーム機の前面枠には受け金具のみが取り付けられる。このため、従来、前面枠の内側に取り付けていた施錠装置本体の取付スペースが不要となり、前面枠には電気部品などを、余裕をもって配置することができ、また、前面枠内に取り付ける遊技盤、表示装置、装飾装置などを大きくするなど、設計の自由度を上げることができる。
【０００９】
また、施錠装置の基枠体として、ゲーム機の本体枠の縦枠を兼用して使用するため、施錠装置の部品点数を削減することができ、施錠装置本体の厚さも薄くすることができる。前面枠の軽量化に伴い、前面枠の開閉の操作性を向上させることができる。さらに、ゲーム機の本体枠を合板により形成していた従来では、本体枠のリサイクルが不可能であったが、金属製の枠とすることにより、本体枠のリサイクルを可能とすることができる。
【００１０】
一方、請求項４の施錠装置は、ゲーム機の本体枠に開閉可能に装着された前面枠を該本体枠に対し施錠するゲーム機の施錠装置において、該本体枠が金属製の上辺枠、下辺枠、及び該上辺枠と下辺枠を縦にそれらの両端部で連結する両側の金属製の縦枠とから構成され、該本体枠の縦枠の内側の上部と下部に鉤部材が正面側を向いて傾動可能に枢支され、該上下の鉤部材が連結杆により連結されると共に、該連結杆の一部に係合部が設けられ、シリンダ錠が前記前面枠に取り付けられるシリンダ錠ユニットの基枠体に取り付けられ、該シリンダ錠の錠軸の先端にカム部材が前記連結杆の係合部と係合可能に取り付けられ、該鉤部材が係止される受け金具が該シリンダ錠ユニットの上部と下部の対応位置に設けられ、該前面枠の閉鎖時に該カム部材が該連結杆の係合部に係合可能な状態となることを特徴とする。
【００１１】
この請求項４の施錠装置は、本体枠の縦枠に鉤部材、連結杆が取り付けられ、ゲーム機の前面枠にはシリンダ錠ユニットが取り付けられる。シリンダ錠ユニットは基枠体上にシリンダ錠と受け金具を設けた簡単な構造のため、従来、前面枠の内側に取り付けていた施錠装置に比べ小形化され、その取付スペースが少なくなり、前面枠には電気部品などを、余裕をもって配置することができる。また、前面枠内に取り付ける遊技盤、表示装置、装飾装置などを大きくすることが可能となり、設計の自由度を上げることができる。さらに、施錠装置の基枠体として、ゲーム機の本体枠の縦枠を兼用して使用するため、施錠装置の部品点数を削減することができる。
【００１２】
また、請求項５の施錠装置は、ゲーム機の筐体に開閉可能に装着された前扉を該筐体に対し施錠するゲーム機の施錠装置において、該筐体の前面開口部の一縦辺部の内側に縦枠部が形成され、該筐体の縦枠部の内側の上部と下部に鉤部材が正面側を向いて傾動可能に枢支され、該上下の鉤部材が連結杆により連結されると共に、該連結杆の一部に係合部が設けられ、シリンダ錠が錠軸を該縦枠部の内側に挿入し且つ鍵穴面を該縦枠部の正面側に突出して該縦枠部に取り付けられ、該シリンダ錠の錠軸の先端にカム板が回動時に該係合部と係合可能に取り付けられ、該鉤部材が係止される受け金具が該前扉の内側の対応位置に取り付けられ、該前扉の閉鎖時に該シリンダ錠が進入する開口凹部が該前扉に設けられたことを特徴とする。
【００１３】
この請求項５の施錠装置は、筐体の縦枠部に鉤部材、連結杆、シリンダ錠などが取り付けられ、ゲーム機の前扉には受け金具のみが取り付けられる。このため、従来、前扉の内側に取り付けていた施錠装置本体の取付スペースが不要となり、前扉には電気部品などを、余裕をもって配置することができ、前扉の設計の自由度を上げることができる。また、施錠装置の基枠体として、ゲーム機の本体枠の縦枠を兼用して使用するため、施錠装置の部品点数を削減することができ、施錠装置本体の厚さも薄くすることができる。
【００１４】
また、請求項７の施錠装置は、ゲーム機の筐体に開閉可能に装着された前扉を該筐体に対し施錠するゲーム機の施錠装置において、該筐体の前面開口部の一縦辺部の内側に縦枠部が形成され、該筐体の縦枠部の内側の上部と下部に鉤部材が正面側を向いて傾動可能に枢支され、該上下の鉤部材が連結杆により連結されると共に、該連結杆の一部に係合部が設けられ、シリンダ錠が前記前扉に取り付けられるシリンダ錠ユニットの基枠体に取り付けられ、該シリンダ錠の錠軸の先端にカム部材が回動時に該係合部と係合可能に取り付けられ、該鉤部材が係止される受け金具が該シリンダ錠ユニットの上部と下部の対応位置に設けられ、該前扉の閉鎖時に該カム部材が該連結杆の係合部に係合可能な状態となることを特徴とする。
【００１５】
この請求項７の施錠装置は、筐体の縦枠部に鉤部材、連結杆が取り付けられ、ゲーム機の前扉にはシリンダ錠ユニットが取り付けられる。シリンダ錠ユニットは基枠体上にシリンダ錠と受け金具を設けた簡単な構造のため、従来、前扉の内側に取り付けていた施錠装置に比べ小形化が可能となり、その取付スペースが少なくなって、前扉には電気部品などを、余裕をもって配置することができ、前扉の設計の自由度を上げることができる。さらに、施錠装置の基枠体として、ゲーム機の筐体の縦枠部を兼用して使用するため、施錠装置の部品点数を削減することができる。
【発明を実施するための最良の形態】
【００１６】
以下、本発明の実施例を図面に基づいて説明する。図１はパチンコ機の本体枠１に取り付けられた施錠装置の正面図、図２はそのII-II断面図を示し、図３はその背面図を示している。１はパチンコ機の本体枠であり、本体枠１は、両側に配置した縦枠１１，１２の上部に上辺枠１３を連結して固定し、縦枠１１，１２の下部に下辺枠１４を連結固定し、矩形枠状に形成される。また、その下辺枠１４の前には下前板１５が固定されて構成される。
【００１７】
各縦枠１１，１２、上辺枠１３、及び下辺枠１４は、例えば、アルミニウムなどの金属により中空形状に成形され、各枠の端部を相互に直角状態で嵌合し、固定ねじなどにより矩形枠状に連結固定したものである。下前板１５は合成樹脂などにより成形され、矩形枠の下部に固定ねじなどで固定されている。
【００１８】
このような本体枠１の一方の縦枠１１の内側における上部と下部に、図６のように、フック状の鉤部材２，３が傾動可能に枢軸２ａ，３ａを介して枢支されている。鉤部材２，３は正面側（前方）を向いて軸支され、斜め上方に両者が連動して傾動するように、両方の鉤部材２，３間に連結杆４が軸２ｂ、３ｂを介して連結されている。なお、図１に示すように、縦枠１１の正面における鉤部材２，３の近傍には、後述の受け金具２０，２１の進入を許容するために、開口部１１ａ，１１ｂが形成されている。
【００１９】
また、図６のように、連結杆４の下部寄りには、係合部４ａが前方に向けて突設され、この係合部４ａは後述のカム板６の回動時にカム板６の係合凸部６ａと係合可能である。つまり、カム板６の回動によりカム板６の係合凸部６ａが係合部４ａに係合して、連結杆４を上昇させると、連結杆４の上昇により上下の鉤部材２，３は上方に傾動し、解錠動作する。
【００２０】
図６のように、連結杆４にはガイド孔４ｂ、４ｃが形成され、これらのガイド孔４ｂ、４ｃにガイド軸７ａ，７ｂが挿入され、連結杆４の上下動がガイドされる。また、連結杆４の内側に沿ってガラス枠作動杆８が摺動可能に配設され、このガラス枠作動杆８にもガイド孔８ｃ、８ｄが形成される。そして、そのガイド孔８ｃ、８ｄにガイド軸７ａ，７ｂが挿入され、ガイド軸７ａ，７ｂの先端は縦枠１１に固定され、連結杆４とガラス枠作動杆８はガイド軸７ａ，７ｂにガイドされて所定の範囲で上下動可能である。
【００２１】
ガラス枠作動杆８は、前面枠３０内に開閉可能に設けられたガラス枠３１のガラス枠施錠具２９を解除動作させる作動杆であり、ガラス枠作動杆８の上端に第１係合部８ａが、ガラス枠施錠具２９から内側に突設されたガラス枠解錠片２９ａに係合して押下げ可能に設けられている。また、図６のように、ガラス枠作動杆８の下部には、第２係合部８ｂが正面側に向けて突設され、カム板６の回動時にカム板６の係合凸部６ｂ（図５）がこの第２係合部８ｂに係合し、ガラス枠作動杆８を下方に摺動させる。
【００２２】
なお、ガラス枠施錠具２９についての詳細構造は、図面において省略されているが、ガラス枠施錠具２９はガラス枠施錠杆を摺動可能に設け、ガラス枠施錠杆には係止凹部が設けられ、ガラス枠施錠杆はコイルばねにより施錠側に付勢される。前面枠３０の内側に開閉可能に設けられたガラス枠３１の自由端側に、係止部が設けられ、ガラス枠３１を前面枠３０側に閉じた際、その係止部がガラス枠施錠杆の係止凹部に係止されてガラス枠が施錠される。そのガラス枠施錠杆にガラス枠解錠片２９ａが突設されている。
【００２３】
縦枠１１の正面にシリンダ錠５が取り付けられる。シリンダ錠５の元部にはフランジ５ｂが設けられ、内側に向けて錠軸５ａが突設される。この錠軸５ａを縦枠１１内に挿入した状態で、フランジ５ｂを縦枠１１の正面に固定ねじなどで固定して、シリンダ錠５は、縦枠１１の正面に突出した形態で取り付けられる。上記のように、シリンダ錠５の錠軸５ａの先端にカム板６が固定され、シリンダ錠５にキーを差し込み右に回すと、カム板６が同方向に回動し、その係合凸部６ａが連結杆４の係合部４ａに係合し、連結杆４を上方に摺動させる。逆に、シリンダ錠５にキーを差し込み左に回すと、カム板６が同方向に回動し、その係合凸部６ｂがガラス枠作動杆８の第２係合部８ｂに係合し、ガラス枠作動杆８を下方に摺動させる。なお、上記連結杆４とガラス枠作動杆８の間には、コイルばね９が掛け渡され、このコイルばね９により、連結杆４は下方に、ガラス枠作動杆８は上方に付勢されている。
【００２４】
さらに、縦枠１１の正面には、図１，２に示すように、シリンダ錠５の周囲を覆うようにシリンダ錠カバー１０が取り付けられている。このシリンダ錠カバー１０は合成樹脂により成形され、その先端部は前面枠３０の正面形状と連続して一体となる形状に形成される。つまり、前面枠３０を閉じたとき、シリンダ錠カバー１０の先端部が、前面枠３０の前面形状に連続し、視覚的に違和感なく前面枠の前面形状に溶け込むように形成されている。また、シリンダ錠５の鍵穴面はカバーから露出するように開口している。
【００２５】
本体枠１の前面には、前面枠３０がその左端部をヒンジを介して開閉可能に取付られ、図７、図８に示すように、前面枠３０を本体枠１に対し閉じた際、このシリンダ錠カバー１０の進入を許容するように、前面枠３０の対応箇所には、カバー１０に対応した形状の開口凹部３２が形成されている。また、前面枠３０の内側には、本体枠１側の鉤部材２，３の位置に対応して受け金具２０，２１が取り付けられている。
【００２６】
前面枠３０には、その中央部に装着された遊技盤を前面から覆うようにガラス枠３１がヒンジを介して開閉可能に装着され、前面枠３０の内側にガラス枠３１を施錠するガラス枠施錠具２９が取り付けられている。ガラス枠施錠具２９は、ガラス枠３１の端部に設けられた係止部を係止させる係止開口凹部を有する摺動板を有し、その摺動板をコイルばねにより施錠側に付勢して構成される。そして、ガラス枠３１を閉じると、ガラス枠の係止部が摺動板を摺動させながらその係止開口凹部に嵌入し、コイルはねの付勢力により係止状態となり、施錠される。摺動板には内側に向けてガラス枠解錠片２９ａが突設され、このガラス枠解錠片２９ａが押し下げられると、摺動板が下降して解錠される。
【００２７】
このようなガラス枠施錠具２９はガラス枠を受ける金枠の内側に収納され、前面枠３０を施錠する施錠装置においては受け金具２０，２１のみが前面枠３０の内側に取り付けられるのみとなり、施錠装置のためのスペースが不要となり、前面枠３０内に各種の電気部品などの設置スペースが増大する。
【００２８】
上記構成のパチンコ機の施錠装置は、パチンコ機の前面枠３０を閉じると、前面枠３０の受け金具２０，２１が、本体枠１側の縦枠１１の開口部１１ａ，１１ｂ内に進入し、上部と下部の鉤部材２，３が受け金具２０，２１に接触しながら上方に傾動し、その後、コイルばね９の付勢力により施錠位置に戻り、鉤部材２，３が受け金具２０，２１に係止され、図７のような施錠状態となる。このとき、シリンダ錠カバー１０に覆われたシリンダ錠５は、前面枠３０の開口凹部３２に進入し、図１のように、シリンダ錠５の鍵穴面が正面に露出し、開口凹部３２はシリンダ錠カバー１０により覆われた状態となる。
【００２９】
前面枠３０を解錠する場合は、前面枠３０の正面側の開口凹部３２内に位置するシリンダ錠５にキーを差し込み、シリンダ錠５の錠軸を右側に回すと、カム板６が同方向に回転し、そのカム板６の係合凸部６ａが連結杆４の係合部４ａと係合してこれを上方に摺動させる。これにより、図８のように、上下の鉤部材２，３が上方へ回動し、前面枠３０側の受け金具２０、２１との係合が外れ、前面枠３０は解錠される。
【００３０】
このように、本施錠装置を使用するパチンコ機では、前面枠３０の内側に取り付けていた施錠装置本体の取付スペースが不要となり、前面枠３０には電気部品などを、余裕をもって配置することができる。また、前面枠３０内に取り付ける遊技盤、表示装置、装飾装置などを大きくするなど、設計の自由度を上げることができる。さらに、施錠装置の基枠体として、パチンコ機の本体枠１の縦枠１１を兼用して使用するため、施錠装置の部品点数を削減することができ、施錠装置本体の厚さも薄くすることができる。さらに、パチンコ機機の本体枠を合板により形成していた従来では、本体枠のリサイクルが不可能であったが、金属製の本体枠１とすることにより、本体枠１のリサイクルを可能とすることができる。
【００３１】
なお、上記実施形態は、パチンコ機の施錠装置に適用した場合を説明したが、スロットマシンの施錠装置として適用することもでき、スロットマシンの場合、筐体が金属板を材料として箱形に形成され、金属製の筐体の前面開口部の一縦辺部の内側に縦枠部が形成される。その縦枠部の内側の上部と下部に、上記と同様な鉤部材が正面側を向いて傾動可能に枢支され、両側の鉤部材が連結杆により連結される。そして、スロットマシンの前扉には鉤部材の受け金具が取り付けられ、筐体側に取り付けたシリンダ錠とそれを覆うシリンダ錠カバーが進入可能な開口凹部が前扉に設けられる。
【００３２】
図９〜図１２は他の実施形態を示し、この例では、施錠装置のシリンダ錠４５と受け金具５２，５３がシリンダ錠ユニット５０に取り付けられ、シリンダ錠ユニット５０はパチンコ機の前面枠３３に取り付けられる。
【００３３】
すなわち、このパチンコ機の本体枠４１は、上記と同様に、金属製の上辺枠、下辺枠、及び該上辺枠と下辺枠を縦にそれらの両端部で連結する両側の金属製の縦枠とから構成され、本体枠の一方の縦枠５１の内側の上部と下部に鉤部材４２，４３が正面側を向いて傾動可能に、枢軸４２ａ，４３ａにより枢支されている。そして、上下の鉤部材４２，４３が連結杆４４により連結される。また、連結杆４４の下部寄りに係合部４４ａが設けられ、この係合部４４ａには、シリンダ錠４５の錠軸に固定したカム部材４６が係合可能である。連結杆４４にはコイルばね４９が装着され、このばねにより連結杆４４は下方に、つまり施錠方向に付勢されている。
【００３４】
シリンダ錠４５は、パチンコ機の前面枠３３に取り付けられるシリンダ錠ユニット５０の基枠体５４に取り付けられている。シリンダ錠４５の錠軸の先端に固定したカム部材４６は、前面枠３３を閉鎖した状態で、錠軸を回動した時、連結杆４４の係合部４４ａと係合可能な係合凸部４６ａが設けられている。また、鉤部材４２，４３が係止される受け金具５２，５３は、シリンダ錠ユニット５０の基枠体５４の上部と下部の対応位置に設けられる。
【００３５】
本体枠４１の一方の縦枠５１の正面側には、図９に示すように、前面枠３３の閉鎖時に、前面枠３３側の受け金具５２，５３の進入を許容するように、鉤部材４２、４３の近傍に、開口部４１ａ、４１ｂが各々形成されている。また、その縦枠５１の開口部４１ｂの直上位置には、前面枠３３側のカム部材４６の進入を許容するように、開口部４１ｃが形成されている。
【００３６】
上記構成のパチンコ機の施錠装置では、パチンコ機の前面枠３３を閉じると、前面枠３３の受け金具５２，５３が、本体枠４１側の縦枠５１の開口部４１ａ，４１ｂ内に進入し、上部と下部の鉤部材４２，４３が受け金具５２，５３に接触して上方に傾動し、その後、コイルばね４９の付勢力により施錠位置に戻る。これにより、鉤部材４２，４３が受け金具５２，５３に係止され、図１１のような施錠状態となる。このとき、シリンダ錠４５の錠軸側のカム部材４６は、本体枠４１の縦枠５１の開口部４１ｃ内に進入し、図１１、１２のように、その係合凸部４６ａが連結杆４４の係合部４４ａと対峙する位置まで進入する。
【００３７】
前面枠３３を解錠する場合は、前面枠３３に取り付けられたシリンダ錠ユニット５０のシリンダ錠４５にキーを差し込み、シリンダ錠４５の錠軸を右側に回すと、カム部材４６が同方向に回転し、そのカム部材４６の係合凸部４６ａが連結杆４４の係合部４４ａと係合してこれを上方に摺動させる。これにより、上下の鉤部材４２，４３が上方へ回動し、前面枠３３側の受け金具５２，５３との係合が外れ、前面枠３３は解錠される。
【００３８】
このように、前面枠３３の内側には、シリンダ錠４５と受け金具５２，５３のみを設けたスリムな形状のシリンダ錠ユニット５０を取り付けるため、取付スペースが従来ものより少なくなり、前面枠３３には電気部品などを、余裕をもって配置することができる。さらに、本体枠４１の縦枠５１に鉤部材４２，４３を直接軸支するため、本体枠４１側の施錠装置の部品点数を削減することができ、施錠装置の厚さも薄くすることができる。
【００３９】
なお、上記実施形態は、パチンコ機の施錠装置に適用した場合を説明したが、スロットマシンの施錠装置として適用することもでき、スロットマシンの場合、筐体が金属板を材料として箱形に形成され、金属製の筐体の前面開口部の一縦辺部の内側に縦枠部が形成される。そして、その縦枠部の内側の上部と下部に、上記と同様な鉤部材が正面側を向いて傾動可能に枢支され、両側の鉤部材が連結杆により連結される。そして、スロットマシンの前扉にはシリンダ錠ユニットが取り付けられ、シリンダ錠ユニットには鉤部材の受け金具と、カム部材を錠軸に固定したシリンダ錠が取り付けられる。
【図面の簡単な説明】
【００４０】
【図１】本発明の一実施形態を示すパチンコ機の本体枠に設けられた施錠装置の正面図である。
【図２】図１のII-II断面図である。
【図３】本体枠と施錠装置の背面図である。
【図４】シリンダ錠周辺の断面付き正面図である。
【図５】カム板周辺の断面付き正面図である。
【図６】施錠装置の分解左側面図である。
【図７】本体枠に対し前面枠を閉じた状態の断面図である。
【図８】前面枠を開いた状態の断面図である。
【図９】他の実施形態を示す本体枠側の施錠装置の左側面断面図である。
【図１０】同施錠装置の前面枠側のシリンダ錠ユニットの左側面図である。
【図１１】同施錠装置における前面枠を閉じた状態の左側面断面図である。
【図１２】施錠状態における縦枠内のカム部材と係合部を背面から見た部分断面図である。
【符号の説明】
【００４１】
１−本体枠
２、３−鉤部材
４−連結杆
５−シリンダ錠
６−カム板
１０−シリンダ錠カバー
１１−縦枠
２０、２１−受け金具
３０−前面枠
３１−ガラス枠
３２−開口凹部
【図１】
2006230696.tif 000003
【図２】
2006230696.tif 000004
【図３】
2006230696.tif 000005
【図４】
2006230696.tif 000006
【図５】
2006230696.tif 000007
【図６】
2006230696.tif 000008
【図７】
2006230696.tif 000009
【図８】
2006230696.tif 000010
【図９】
2006230696.tif 000011
【図１０】
2006230696.tif 000012
【図１１】
2006230696.tif 000013
【図１２】
2006230696.tif 000014